(57)【特許請求の範囲】
【請求項１】
表示器と、
前記表示器を覆う前面パネルと、
前記表示器を視認可能なように開口した窓部を有した見返し部材と、
前記表示器が収納されるケース体と、
前記表示器の表示を切り替えるためのスイッチと、
前記スイッチを搭載する回路基板と、
前記回路基板の板面と平行方向に押圧する操作部と、
を備え、
前記ケース体は、
前記回路基板の板面に対してほぼ垂直になるように形成された仕切片と、
この仕切片とともに前記スイッチを収納する空間を形成する壁部と、
前記スイッチの押圧面側に設けられる開口部と、
前記仕切片と前記壁部との間に前記空間の内部と外部とが通じる少なくとも１つの孔部と、を有している
ことを特徴とする表示装置。
【請求項２】
前記操作部は、前記見返し部材の側面側に配置されていることを特徴とする請求項１に記載の表示装置。
【発明の詳細な説明】
【技術分野】
【０００１】
本発明は、例えば自動車やオートバイに搭載される計器用の表示装置に関し、スイッチ装置を操作することによって表示内容などを変更させる表示装置に関するものである。
【背景技術】
【０００２】
従来、この種の表示装置にあっては、例えば下記特許文献１に記載されているものが知られている。この特許文献１に記載の表示装置は、表示器の周辺に配置されたスイッチ装置を操作することによって表示器に表示される情報を変更させることができるものである。
【先行技術文献】
【特許文献】
【０００３】
【特許文献１】特開平１０−１６２６８８号公報
【発明の開示】
【発明が解決しようとする課題】
【０００４】
しかしながら、スイッチおよびその周辺に粉塵が堆積しないように、スイッチの周囲を囲んだ場合、製造工程中に粉塵などを取り除く空気の噴射（所謂エアブロー）では、粉塵が取り除かれにくいという問題点があった。
そこで本発明は、前述の課題に対処するため、スイッチ周辺の粉塵を取り除くことが可能な表示装置の提供を目的とするものである。
【課題を解決するための手段】
【０００５】
本発明は、表示器と、前記表示器を覆う前面パネルと、前記表示器を視認可能なように開口した窓部を有した見返し部材と、前記表示器が収納されるケース体と、前記表示器の表示を切り替えるためのスイッチと、
前記スイッチを搭載する回路基板と、前記回路基板の板面と平行方向に押圧する操作部と、を備え、前記ケース体は、前記回路基板の板面に対してほぼ垂直になるように形成された仕切片と、この仕切片とともに前記スイッチを収納する空間を形成する壁部と、前記スイッチの押圧面側に設けられる開口部と、前記仕切片と前記壁部との間に前記空間の内部と外部とが通じる少なくとも１つの孔部と、を有している。
【０００６】
また本発明は、前記操作部は、前記見返し部材の側面側に配置されているものである。
【発明の効果】
【０００７】
本発明によれば、スイッチ周辺の粉塵を取り除くことが可能な表示装置を提供できる。
【図面の簡単な説明】
【０００８】
【図１】本発明の実施形態による表示装置の斜視図。
【図２】図１のＡ−Ａ断面図。
【図３】本発明の実施形態による表示器の正面図。
【図４】図１の表示器の斜視図。
【発明を実施するための形態】
【０００９】
本発明を、車両用の表示装置を実施形態として説明する。本実施形態による表示装置１は、液晶表示パネル２と、液晶表示パネル２を覆う前面パネル３と、液晶表示パネル２を視認可能なように開口した窓部４１を有した見返し部材４と、硬質な回路基板５と、この回路基板５の前面に搭載されたスイッチ６と、回路基板５の後面側を覆うカバー７とを有している。液晶表示パネル２、ケース体２１、回路基板５及びスイッチ６は、前面パネル３を備えた見返し部材４とカバー７とで構成される空間内に収納されている。
【００１０】
液晶表示パネル２は、表示器であり、本実施形態では、ガラス基板に封入された液晶素子である。液晶表示パネル２は、接続部材（図示せず）によって回路基板５と電気的に接続されている。液晶表示パネル２は、合成樹脂製のケース体２１に収納されている。
【００１１】
ケース体２１は、回路基板５の板面に対してほぼ垂直になるように形成された壁部２２を構成する仕切片２１ａを有し、ケース体２１の側面側に、スイッチ６を囲む壁部２２を備えている。スイッチ６は、仕切片２１ａと壁部２２によって形成された空間内に収納されている。
【００１２】
壁部２２は、回路基板５に垂直になるように形成された第１壁面２２ａと、第１壁面２２ａと垂直に連続して形成された第２壁面２２ｂと、第１壁面２２ａと対向するように第２壁面２２ｂと連続して形成された第３壁面２２ｃとを有している。第１壁面２２ａと第３壁面２２ｃがスイッチ２２の側方に設けられ、第２壁面２２ｂがスイッチ２２の上方に設けられている。
【００１３】
また、ケース体２１は、スイッチ６の側面側に壁部２２が形成されない開口部２４を有している。スイッチ６は、開口部２４から押圧面６１が露出するように配置されている。
【００１４】
第２壁面２２ｂは、スイッチ２２を収納する壁部２２の内部と外部とが通じるように、図２中の第２壁面２２ｂの前後方向に貫通する孔部２３を有している。孔部２３は、表示装置１の製造工程において、表示装置１（特に、回路基板５やスイッチ２２等）に付着した粉塵を吹き飛ばすために、ケース体２１の横方向から仕切片２１ａと壁部２２で構成されたスイッチ６を収納する空間の開口部２４に空気を噴射した際に（所謂エアブローの際に）、仕切片２１ａと壁部２２で構成されたスイッチ６を収納する空間内に空気が充満しないように、通気孔として形成されると共に、噴射した空気によってスイッチ６周辺から粉塵が排出される排出孔としての効果がある。  
【００１５】
見返し部材４は、不透過性の合成樹脂から形成され、本実施形態の場合は、前面パネル３がインサート成形によって、見返し部材４と一体形成され、後述する操作部８１が配置される貫通部４２を有している。また、液晶表示パネル２の表示領域は、見返し部材４の窓部４１によって視認可能に形成されている。
【００１６】
見返し部材４は、合成ゴムなどで形成された弾性部材８が貫通部４２に嵌め込まれている。
【００１７】
スイッチ６は、押圧方向が回路基板５の板面と平行になるように配置されており、回路基板５と電気的に接続されている。
【００１８】
スイッチ６は、弾性部材８を回路基板５の板面と平行に押し、スイッチ６の押圧面６１と操作部８１が接触することで押圧操作される。また、スイッチ６は、表示装置１を前側から正面視したときに、壁部２２からスイッチ６の押圧面６１が突出するように配置されている。
【００１９】
弾性部材８は、スイッチ６の押圧面６１と接触する操作部８１と、見返し部材４の貫通部４２の内面側と当接する周壁部８２とが一体成形されている。操作部８１と周壁部８２とは、見返し部材４の貫通部４２から表示装置１の内側に嵌め込まれている。
【００２０】
以上のように、本実施形態では、液晶表示パネル２１と、液晶表示パネル２１を覆う前面パネル３と、液晶表示パネル２１を視認可能なように開口した窓部４１を有した見返し部材４と、液晶表示パネル２１が収納されるケース体２１と、液晶表示パネル２１の表示を切り替えるためのスイッチ６と、スイッチ６を搭載する回路基板５と、回路基板５の板面と平行方向に押圧する操作部８１と、スイッチ６の押圧面６１側に開口部２４が設けられると共にスイッチ６を囲むようにケース体２１に設けられた壁部２２と、を備え、壁部２２は、壁部２２の内部と外部とが通じる少なくとも１つの孔部２３を有していることによって、スイッチ６の周辺に空気を噴射して粉塵を壁部２２から逃がすことで、粉塵を取り除くことができる。
【００２１】
また本実施形態では、操作部８１は、見返し部材４の側面側に配置されていることによって、液晶表示パネル２の表示領域を遮ることなく、スイッチ６を横向きに配置することができる。
【００２２】
なお、本実施形態では、孔部２３が第２壁面２２ｂに形成された例を説明されたが、通気孔や排出孔としての効果があれば、第１壁面２２ａ，第２壁面２２ｂ，第３壁面２２ｃ、仕切片２１ａのいずれか、もしくは複数に形成されていてもよい。
【符号の説明】
【００２３】
１      表示装置
２      液晶表示パネル（表示器）
３      前面パネル
４      見返し部材
５      回路基板
６      スイッチ
７      下ケース
８      弾性部材
２１    ケース体
２１ａ  仕切片（壁部）
２２    壁部
２２ａ  第１壁面
２２ｂ  第２壁面
２２ｃ  第３壁面
２３    孔部
２４    開口部
４１    窓部
６１    押圧面
８１    操作部
８２    周壁部
【図１】
0006693121.tif 000002
【図２】
0006693121.tif 000003
【図３】
0006693121.tif 000004
【図４】
0006693121.tif 000005